(57)【特許請求の範囲】
【請求項１】
映像信号および音声信号の少なくとも一方に関するデータを含む
再生メディアを再生するメディア再生部と、
前記メディア再生部によって再生された映像信号および音声信号の少なくとも一方をフォーマット変換して出力するフォーマット変換部と、
前記フォーマット変換部の出力を記録メディアに記録するメディア記録部と、
前記フォーマット変換部の出力を自装置の外部に出力するインタフェースと、
前記インタフェースに外部機器が接続されているか否かを判定可能であり、その判定結果に応じて、前記フォーマット変換部で使用するフォーマットを判定し、その判定結果に基づき、前記フォーマット変換部で使用するフォーマットの種類を指示する判定部と、
を備え、
前記メディア再生部が再生し、前記フォーマット変換部がフォーマット変換をした映像信号および音声信号の少なくとも一方を、前記メディア記録部が記録メディアに記録している場合には、
前記判定部は、
前記インタフェースに外部機器が接続されているとの判定状態から接続されていないとの判定状態に切り替わった場合、もしくは、前記インタフェースに外部機器が接続されていないとの判定状態から接続されているとの判定状態に切り替わった場合であっても、前記フォーマット変換部に対し、前記フォーマット変換部で使用するフォーマットの種類の変更を指示しない、
映像音声出力装置。 
【請求項２】
前記判定部は、前記接続設定選択部が前記フォーマット変換部に対して複数種類のフォーマットへの変換の指示を行える場合、変換可能なフォーマットのうち最も高品位なフォーマットを、変換フォーマットとして決定する、請求項１に記載の映像音声出力装置。
【請求項３】
前記メディア記録部が記録を開始するに、前記判定部が選択可能なフォーマットをユーザに提示し、その選択結果の入力を受け付けるユーザ選択入力部をさらに備え、前記判定部が、前記ユーザ選択入力部に対してユーザが入力した選択結果に基づいて、前記フォーマット変換部に指定するフォーマットの種類を決定する、請求項１に記載の映像音声出力装置。 
【請求項４】
前記複数種類の出力インタフェースに、ＨＤＭＩ規格対応インタフェースもしくはＩＥＥＥ１３９４規格対応インタフェースとのいずれかを少なくとも含む、請求項１に記載の映像音声出力装置。 
【請求項５】
前記メディア記録部が記録を開始する前のフォーマットを保持する出力フォーマット情報記憶部をさらに備え、前記メディア記録部が記録を終了した場合に、前記判定部は、前記出力フォーマット情報記憶部が保持している、前記メディア記録部が記録を開始する前のフォーマットに戻す、請求項１に記載の映像音声出力装置。 
【発明の詳細な説明】
【技術分野】
【０００１】
本発明は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等の規格に基づいて高品位映像と音声を送信し、ダビング機能を有する映像音声出力装置に関する。
【背景技術】
【０００２】
従来、ＨＤＭＩ端子を搭載するＡＶ機器が普及し始めており、ＨＤＭＩ規格非対応の接続機器とも接続が可能となるように、当面上記の従来の規格と互換性がとれたＡＶ入出力端子を具備している（例えば、特許文献１参照。）。
【０００３】
この映像音声記録再生装置では、複数種類の入出力インタフェースのいずれかに外部機器が接続・非接続された場合、外部機器が接続・非接続されたことを認証し、その機器が対応可能なフォーマットを判定することにより、出力すべき映像音声信号のフォーマットが決定される。これにより、接続機器の信号処理能力に応じた映像、音声出力が可能で、かつ、ユーザがフォーマット設定を行う手間が軽減された映像音声出力装置を提供するものである。
【特許文献１】特開２００５−５１５４７号公報
【発明の開示】
【発明が解決しようとする課題】
【０００４】
しかしながら、上述した映像音声記録再生装置では、複数の出力インタフェースにそれぞれ映像、音声フォーマットを設定できる機器において、記録メディアへのダビング中に外部機器の接続・非接続を検出した場合、映像、音声フォーマットの切り替えが発生し、切り替え時のミュート映像、音声が記録される課題を有している。
【０００５】
本発明は、上記のような課題を解決するためになされたもので、ダビング時のユーザ設定作業を軽減させ、ダビング時の映像、音声信号を正しく記録可能な装置を実現する映像音声記録再生装置を提供する事を目的としている。
【課題を解決するための手段】
【０００６】
上記目的を達成するために第1の発明は、映像信号および音声信号の少なくとも一方に関するデータを含む再生メディアを再生するメディア再生部と、前記メディア再生部によって再生された映像信号および音声信号の少なくとも一方をフォーマット変換して出力するフォーマット変換部と、前記フォーマット変換部の出力を記録メディアに記録するメディア記録部と、前記フォーマット変換部の出力を自装置の外部に出力するインタフェースと、前記インタフェースに外部機器が接続されているか否かを判定可能であり、その判定結果に応じて、前記フォーマット変換部で使用するフォーマットを判定し、その判定結果に基づき、前記フォーマット変換部で使用するフォーマットの種類を指示する判定部と、を備え、前記メディア再生部が再生し、前記フォーマット変換部がフォーマット変換をした映像信号および音声信号の少なくとも一方を、前記メディア記録部が記録メディアに記録している場合には、前記判定部は、前記インタフェースに外部機器が接続されているとの判定状態から接続されていないとの判定状態に切り替わった場合、もしくは、前記インタフェースに外部機器が接続されていないとの判定状態から接続されているとの判定状態に切り替わった場合であっても、前記フォーマット変換部に対し、前記フォーマット変換部で使用するフォーマットの種類の変更を指示しない、ことを特徴とする。 
【０００９】
また、第２の発明は第1の映像音声記録再生装置において、前記判定部は、前記接続設定選択部が前記フォーマット変換部に対して複数種類のフォーマットへの変換の指示を行える場合、変換可能なフォーマットのうち最も高品位なフォーマットを、変換フォーマットとして決定する事を特徴とした映像音声出力装置を提供する。 
【００１０】
また、第３の発明は第1の映像音声記録再生装置において、前記メディア記録部が記録を開始するに、前記判定部が選択可能なフォーマットをユーザに提示し、その選択結果の入力を受け付けるユーザ選択入力部をさらに備え、前記判定部が、前記ユーザ選択入力部に対してユーザが入力した選択結果に基づいて、前記フォーマット変換部に指定するフォーマットの種類を決定する事を特徴とした映像音声出力装置を提供する。 
【００１１】
また、第４の発明は第1の映像音声記録再生装置において、前記複数種類の出力インタフェースに、ＨＤＭＩ規格対応インタフェースもしくはＩＥＥＥ１３９４規格対応インタフェースとのいずれかを少なくとも含む事を特徴とした映像音声出力装置を提供する。 
【００１２】
また、第５の発明は第1の映像音声記録再生装置において、前記メディア記録部が記録を開始する前のフォーマットを保持する出力フォーマット情報記憶部をさらに備え、前記メディア記録部が記録を終了した場合に、前記判定部は、前記出力フォーマット情報記憶部が保持している、前記メディア記録部が記録を開始する前のフォーマットに戻す事を特徴とした映像音声出力装置を提供する。 
【発明の効果】
【００１４】
請求項１により複数の出力インタフェースにそれぞれ映像、音声フォーマットを設定できる機器において、記録メディアへのダビング開始前に複数の出力インタフェースが対応可能な映像、音声フォーマットに変換が必要どうかを判断し、フォーマット変換が必要な場合、フォーマット変換を行うことで、ダビング中に外部機器の接続・非接続を検出しても、映像、音声フォーマットの切り替えが発生しない。これにより、ダビング時のユーザ設定作業を軽減させ、ダビング時の映像、音声信号を正しく記録できる映像音声出力装置を提供できる。
【００１５】
また、請求項２により複数の出力インタフェースにそれぞれ映像、音声フォーマットを設定できる機器において、記録メディアへのダビング開始前に複数の出力インタフェースが対応可能な映像、音声フォーマットに変換が必要どうかを判断し、フォーマット変換が必要な場合、フォーマット変換発生することをユーザに提示することが可能となる。
【００１６】
また、請求項３により複数の出力インタフェースにそれぞれ映像、音声フォーマットを設定できる機器において、記録メディアへのダビング開始前に複数の出力インタフェースが対応可能な映像、音声フォーマットに変換が必要どうかを判断した結果、複数種類のフォーマットを行える場合、変換可能なフォーマットのうち最も高品位な映像、音声でダビングを行うことが可能となる映像音声出力装置を提供できる。
【００１７】
また、請求項４により複数の出力インタフェースにそれぞれ映像、音声フォーマットを設定できる機器において、記録メディアへのダビング開始前に複数の出力インタフェースが対応可能な映像、音声フォーマットに変換が必要どうかを判断した結果、複数種類のフォーマットを行える場合、ユーザが希望した映像、音声フォーマットでダビングを行うことが可能となる。
【００１８】
また、請求項５により前記複数種類の出力インタフェースに、ＨＤＭＩ規格対応インタフェースとＩＥＥＥ１３９４規格対応インタフェースとを少なくとも含むことが好ましい。
【００１９】
また、請求項６により複数の出力インタフェースにそれぞれ映像、音声フォーマットを設定できる機器において、記録メディアへのダビング開始前に複数の出力インタフェースが対応可能な映像、音声フォーマットに変換が必要どうかを判断し、フォーマット変換が必要な場合、フォーマット変換を行い、ダビング開始前のフォーマットを保存し、ダビングが終了した時、保存しているダビング開始前のフォーマットを元にフォーマット変換を行うことで、ダビング前のフォーマットに戻すことが可能となる。
【００２０】
また、請求項７により複数の出力インタフェースにそれぞれ映像、音声フォーマットを設定できる機器において、記録メディアへのダビング開始前に複数の出力インタフェースが対応可能な映像、音声フォーマットに変換が必要どうかを判断し、フォーマット変換が必要な場合、フォーマット変換を行い、ダビング開始前のフォーマットを保存し、ダビングが終了した時、保存しているダビング開始前のフォーマットを元にフォーマット変換を行うこと行うことで、ダビングを終了した時、ダビング前のフォーマットに戻すことをユーザに提示することが可能となる。
【発明を実施するための最良の形態】
【００２１】
以下に図を用いて本発明の実施の形態を説明する。
【００２２】
（実施の形態）
この実施形態では、映像音声出力装置の具体例としてＤＶＤレコーダを示すが、本発明の映像音声出力装置および映像音声受信装置はこれらの具体例に限定されない。
【００２３】
図１はＤＶＤレコーダの構成を示すブロック図である。図１に示すように、ＤＶＤレコーダは、ＩＥＥＥ１３９４ケーブルを接続するためのＩＥＥＥ１３９４端子２ａ、Ｄ端子映像ケーブルを接続するためのＤ端子２ｂ、左右音声用一対のアナログ音声ケーブルを接続するための左右一対のアナログ端子２ｃ、ＨＤＭＩケーブルを接続するためのＨＤＭＩ端子２ｄを備えている。なお、図１では、ＨＤＭＩ端子２ｄを、説明の都合上、入力端子として機能する場合を左側に、出力端子として機能する場合を右側に分けて示した（すなわち図１において符号２ｄを付した端子が二つ存在する）が、実際の装置においては物理的に一つの端子として構成される。ただし、ＨＤＭＩ端子やＩＥＥＥ１３９４端子の数は１つに限定されず、複数個ずつあっても良い。
【００２４】
ＤＶＤレコーダは、さらに、再生メディア２０、フォーマット変換器２１、トランスミッタ２２、接続機器認証部２３、メディア再生部２４、接続機器判定部２５、映像フォーマット判定部２６、音声フォーマット判定部２７、接続設定選択部２８、ＧＵＩ画面表示部２９、メディア記録部３０、記録メディア３１、ダビング状態管理部３２を備えている。
【００２５】
メディア再生部２４は、再生メディア２０に対して再生を行う。フォーマット変換器２１は、再生メディア２０から出力される映像信号および音声信号を、接続設定選択部２８からの指示に応じたフォーマットに変換する。トランスミッタ２２は、音声信号を圧縮符号化して映像信号に重畳し、ＨＤＭＩフォーマットの伝送形式に変換する。
【００２６】
接続機器認証部２３は、ＨＤＭＩ端子２ｄに接続された機器を認証する認証部２３ｄと、ＩＥＥＥ１３９４端子２ａに接続された機器を認証する認証部２３ａとを内部に有し、ＨＤＭＩ端子２ｄまたはＩＥＥＥ１３９４端子２ａに接続されている機器を検出するとともにそれぞれの伝送プロトコルにより規定された認証手段、例えばＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）認証やＤＴＣＰ（Ｄｉｔｇｉｔａｌ  Ｔｒａｎｓｍｉｓｓｉｏｎ  Ｃｏｎｔｅｎｔ  Ｐｒｏｔｅｃｔｉｏｎ）認証によって接続先と認証を行い、接続先に出力信号を伝送してよいかどうかを判定する。
【００２７】
接続機器判定部２５は、接続機器認証部２３の検出結果に基づき、接続機器の出力インタフェースを判定する。映像フォーマット判定部２６は、接続機器が対応可能な映像フォーマットを判定する。音声フォーマット判定部２７は、接続機器が対応可能な音声フォーマットを判定する。接続設定選択部２８は、接続機器の対応可能な映像／音声フォーマットの種類や、ダビング状態管理部３２からの複数の出力インタフェースが対応可能なフォーマットに固定する指示に従って、映像／音声フォーマットを決定し、フォーマット変換器２１へ指示する。ＧＵＩ画面表示部２９は、ユーザの操作入力をＧＵＩにより受け付ける。メディア記録部３０は、記録メディア３１に記録する。
【００２８】
ダビング状態管理部３２は、メディア再生部２４とメディア記録部３０に指示して再生メディアから記録メディアにダビングを開始する時、接続設定選択部２８へ複数の出力インタフェースが対応可能なフォーマットに固定する指示を行い、ダビングが終了した時、複数の出力インタフェースが対応可能なフォーマットに固定を解除する指示を行う。
【００２９】
以下、ＤＶＤレコーダの動作について、図２〜図６のフローチャート、および、図７の図を参照しながら説明する。なお、ＤＶＤレコーダのＨＤＭＩ端子２ｄは、ＤＶＤレコーダの動作中でもケーブルを抜き差しすることが可能な、いわゆるホットプラグ（ＨｏｔＰｌｕｇ）対応の端子である。
【００３０】
図２はダビング開始処理のフローチャートである。
【００３１】
ユーザ操作入力によりＧＵＩ画面表示部２９からダビング操作が入力された時、接続設定選択部２８内の出力フォーマット情報記憶部２８ａに記憶されているＤＶＤレコーダから接続機器へＨＤＭＩで出力可能なフォーマットのリストから、ＨＤＭＩ接続端子２ｄにＨＤＭＩケーブルが接続されているかどうかを判別する（ステップＳ２０）。なお、接続設定選択部２８内の出力フォーマット情報記憶部２８ａに記憶されているＤＶＤレコーダから接続機器へＨＤＭＩで出力可能なフォーマットのリストは、ＨＤＭＩ接続端子２ｄにＨＤＭＩケーブルが接続されていない場合、無効なデータが格納されている。
【００３２】
ステップＳ２０の判別結果がＨＤＭＩ接続端子２ｄにＨＤＭＩケーブルが接続されている場合、接続設定選択部２８内の出力フォーマット情報記憶部２８ａに記憶されているＤＶＤレコーダが出力しているＤ端子出力フォーマットと、通常時のＨＤＭＩ出力フォーマットが同じかどうかを判別する（ステップＳ２１）。
【００３３】
ステップＳ２１の判別結果がＤ端子出力フォーマットと、ＨＤＭＩ出力フォーマットが異なる場合、ＨＤＭＩ出力フォーマットをＤ端子出力フォーマットに固定するためにフォーマット変換が発生することをＧＵＩ画面表示部２９のユーザ選択画面に提示する（ステップＳ２２）。
なお、Ｓ２２はＧＵＩ画面表示を行わなければ不要である。
次に、固定前のＨＤＭＩ出力フォーマットと、固定するＨＤＭＩ出力フォーマットを出力フォーマット情報記憶部２８ａの通常時のＨＤＭＩ出力フォーマットと固定時のＨＤＭＩ出力フォーマットにそれぞれ記憶する（ステップＳ２３）。なお、Ｓ２３はダビング終了後、ＨＤＭＩ出力フォーマットを固定前のＨＤＭＩ出力フォーマットに戻すための処理であるため、必須ではない。
【００３４】
次に、出力フォーマット情報記憶部２８ａに記憶した、固定時のＨＤＭＩ出力フォーマットをフォーマット変換器２１に対して変換後フォーマットと指定し（ステップＳ２４）、ダビング開始処理を終了する。一方、ステップＳ２０の判別結果がＨＤＭＩ接続端子２ｄにＨＤＭＩケーブルが接続されていない場合、ＤＶＤレコーダが出力しているＤ端子出力フォーマットと、ＨＤＭＩ出力フォーマットが同じかどうかの判別（ステップＳ２１）、ＧＵＩ画面表示（ステップＳ２２）、固定前のＨＤＭＩ出力フォーマットと、固定するＨＤＭＩ出力フォーマットの保存（ステップＳ２３）、確定情報をフォーマット変換器へ送信（ステップＳ２４）を行わず、ダビング開始処理を終了する。一方、ステップＳ２１の判別結果がＤ端子出力フォーマットと、ＨＤＭＩ出力フォーマットが同一の場合、ＧＵＩ画面表示（ステップＳ２２）、固定前のＨＤＭＩ出力フォーマットと、固定するＨＤＭＩ出力フォーマットの保存（ステップＳ２３）、確定情報をフォーマット変換器へ送信（ステップＳ２４）を行わず、ダビング開始処理を終了する。
【００３５】
図３は図２のダビング開始処理のＳ２１とＳ２２を置き換えたものである。ステップＳ２０の判別結果がＨＤＭＩ接続端子２ｄにＨＤＭＩケーブルが接続されている場合、接続設定選択部２８内の出力フォーマット情報記憶部２８ａに記憶されているＤＶＤレコーダが出力しているＤ端子出力フォーマットが、ＤＶＤレコーダから出力可能なフォーマットのリストと、ＤＶＤレコーダから接続機器へＨＤＭＩで出力可能なフォーマットのリストのうち、最も高品位な映像、音声フォーマットかどうかを判別する（ステップＳ２５）。
【００３６】
ステップＳ２５の判別結果が最も高品位な映像、音声フォーマットでない場合、最も高品位な映像、音声フォーマットでダビングをおこなうことをＧＵＩ画面表示部２９のユーザ選択画面に提示する（ステップＳ２６）。
【００３７】
一方、ステップＳ２５の判別結果が最も高品位な映像、音声フォーマットの場合、ダビング開始処理を終了する。なお、Ｓ２５、Ｓ２６は最も高品位な映像、音声フォーマットでダビングを行う処理であるため、必須ではない。
【００３８】
図４は図２のダビング開始処理のＳ２１とＳ２２を置き換えたものである。
ステップＳ２０の判別結果がＨＤＭＩ接続端子２ｄにＨＤＭＩケーブルが接続されている場合、接続設定選択部２８内の出力フォーマット情報記憶部２８ａに記憶されているＤＶＤレコーダが出力しているＤ端子出力フォーマットが、ＤＶＤレコーダから出力可能なフォーマットのリストと、ＤＶＤレコーダから接続機器へＨＤＭＩで出力可能なフォーマットのリストのうち、複数種類のフォーマットを行えるかどうかを判別する（ステップＳ２７）。ステップＳ２７の判別結果が複数種類のフォーマットを行える場合、出力可能なフォーマットを、ＧＵＩ画面表示部２９のユーザ選択画面に提示する（ステップＳ２８）。そして、ユーザは、ユーザ選択画面に表示されたものからいずれかを選択可能である（ステップＳ２９）。一方、ステップＳ２７の判別結果が複数種類のフォーマットを行えない場合、ステップＳ２３以降の処理を実行する。なお、Ｓ２７、Ｓ２８、Ｓ２９はユーザが入力した選択結果に基づいたフォーマットでダビングを行う処理であるため、必須ではない。
【００３９】
図５はダビング終了処理のフローチャートである。ダビング終了時、接続設定選択部２８内の出力フォーマット情報記憶部２８ａに記憶されているＤＶＤレコーダから接続機器へＨＤＭＩで出力可能なフォーマットのリストから、ＨＤＭＩ接続端子２ｄにＨＤＭＩケーブルが接続されているかどうかを判別する（ステップＳ３０）。ステップＳ３０の判別結果がＨＤＭＩ接続端子２ｄにＨＤＭＩケーブルが接続されている場合、接続設定選択部２８内の出力フォーマット情報記憶部２８ａに記憶されているＤＶＤレコーダが出力している通常時のＨＤＭＩ出力フォーマットと、固定時のＨＤＭＩ出力フォーマットが同じかどうかを判別する（ステップＳ３１）。
【００４０】
ステップＳ３１の判別結果が通常時のＨＤＭＩ出力フォーマットと、固定時のＨＤＭＩ出力フォーマットが異なる場合、接続設定選択部２８内の出力フォーマット情報記憶部２８ａに記憶されている通常時のＨＤＭＩ出力フォーマットを読み出す（ステップＳ３２）。
【００４１】
次に、ステップＳ３２で読み出した通常時のＨＤＭＩ出力フォーマットに戻すためにフォーマット変換が発生することをＧＵＩ画面表示部２９のユーザ選択画面に提示する（ステップＳ３３）。なお、Ｓ３３はＧＵＩ画面表示を行わなければ不要である。
【００４２】
次に、ステップＳ３２で読み出した通常時のＨＤＭＩ出力フォーマットをフォーマット変換器２１に対して変換後フォーマットと指定し（ステップＳ３４）、ダビング終了処理を終了する。なお、Ｓ３０、Ｓ３１、Ｓ３２、Ｓ３４はダビング終了後、ＨＤＭＩ出力フォーマットを固定前のＨＤＭＩ出力フォーマットに戻すための処理であるため、必須ではない。
【００４３】
図６は機器認証処理のフローチャートである。ＨＤＭＩ端子２ｄにＨＤＭＩケーブルが接続、または、非接続されると、バスリセットが発生する（ステップＳ４０）。接続機器認証部２３は、これをトリガとして、ホットプラグ検出処理を実行する（ステップＳ４１）。このとき、例えば、ＨＤＭＩ接続端子２ｄにＨＤＭＩケーブルが接続された場合、認証部２３ｄがこれを検出し、機器認証動作を行う。
次に、接続機器判定部２５が、ステップＳ４１における検出要因がＨＤＭＩ接続端子２ｄの接続か、非接続かを判別する（ステップＳ４２）。
【００４４】
ステップＳ４２の判別結果がＨＤＭＩ接続端子２ｄの接続である場合には、映像フォーマット判定部２６が、接続先の接続機器がデコード可能な映像フォーマット情報を取得する（ステップＳ４３）。また、音声フォーマット判定部２７が、接続先の接続機器の音声デコードフォーマット情報を取得する（ステップＳ４４）。なお、ステップＳ４３，Ｓ４４のフォーマット情報は、接続先の接続機器からＨＤＭＩケーブルを介してＤＶＤレコーダへ供給されるデコード能力情報から取得される。
【００４５】
ＤＶＤレコーダから出力可能なフォーマットのリストは、例えば、接続設定選択部２８内の出力フォーマット情報記憶部２８ａに記憶されていて、ＤＶＤレコーダからＨＤＭＩで出力可能なフォーマットのリストと、ステップＳ４３，Ｓ４４で取得したフォーマット情報を元に、ＤＶＤレコーダから接続機器へＨＤＭＩで出力可能なフォーマットのリストと、通常時のＨＤＭＩ出力フォーマットを出力フォーマット情報記憶部２８ａに記憶する（ステップＳ４５）。なお、Ｓ４５はダビング中にＨＤＭＩ接続が検知した場合、ダビング終了後にＨＤＭＩ出力フォーマットに切り替えるための処理であるため、必須ではない。
【００４６】
次に、接続設定選択部２８がダビング状態管理部３２から、複数の出力インタフェースが対応可能なフォーマットに固定する指示を受けているか（ダビング中かどうか）を判断する（ステップＳ４６）。接続設定選択部２８がダビング状態管理部３２から、複数の出力インタフェースが対応可能なフォーマットに固定する指示を受けている場合（ダビング中の場合）、フォーマット変換器２１に対して変換後フォーマットの指定（ステップＳ４７）を行わず、機器認証処理を終了する。
一方、ステップＳ４２の判別結果がＨＤＭＩ接続端子２ｄの非接続である場合には、映像デコードフォーマット情報の取得（ステップＳ４３）、音声デコードフォーマット情報の取得（ステップＳ４４）を行わず、ＤＶＤレコーダから接続機器へＨＤＭＩで出力可能なフォーマットのリストを出力フォーマット情報記憶部２８ａに全て無効なデータで更新する。（ステップＳ４５）。
【００４７】
次に、ステップＳ４６以降の処理を実行する。一方、ステップＳ４６において、接続設定選択部２８がダビング状態管理部３２から、複数の出力インタフェースが対応可能なフォーマットに固定する指示を受けていない場合（ダビング中以外の場合）、フォーマット変換器２１に対して変換後フォーマットを指定して、（ステップＳ４７）機器認証処理を終了する。
【００４８】
上記にて説明したように、複数の出力インタフェースにそれぞれ映像、音声フォーマットを設定できる機器において、ダビング時のユーザ設定作業を軽減させ、ダビング時の映像、音声信号を正しく記録できる映像音声出力装置を提供でき、記録メディアへのダビング開始前に複数の出力インタフェースが対応可能な映像、音声フォーマットに変換が必要どうかを判断し、フォーマット変換が必要な場合、フォーマット変換発生することをユーザに提示することが可能となり、記録メディアへのダビング開始前に複数の出力インタフェースが対応可能な映像、音声フォーマットに変換が必要どうかを判断した結果、複数種類のフォーマットを行える場合、変換可能なフォーマットのうち最も高品位な映像、音声でダビングを行うことが可能となり、記録メディアへのダビング開始前に複数の出力インタフェースが対応可能な映像、音声フォーマットに変換が必要どうかを判断した結果、複数種類のフォーマットを行える場合、ユーザが希望した映像、音声フォーマットでダビングを行うことが可能となり、記録メディアへのダビング開始前に複数の出力インタフェースが対応可能な映像、音声フォーマットに変換が必要どうかを判断し、フォーマット変換が必要な場合、フォーマット変換を行い、ダビング開始前のフォーマットを保存し、ダビングが終了した時、保存しているダビング開始前のフォーマットを元にフォーマット変換を行うことで、ダビング前のフォーマットに戻すことが可能となり、記録メディアへのダビング開始前に複数の出力インタフェースが対応可能な映像、音声フォーマットに変換が必要どうかを判断し、フォーマット変換が必要な場合、フォーマット変換を行い、ダビング開始前のフォーマットを保存し、ダビングが終了した時、保存しているダビング開始前のフォーマットを元にフォーマット変換を行うこと行うことで、ダビングを終了した時、ダビング前のフォーマットに戻すことをユーザに提示することが可能となる。
【００４９】
なお、録画側の記録メディアはどのような媒体であってもかまわない。なお、再生側の再生メディアはどのような媒体であってもかまわない。なお、図２〜６のフローチャート、及び図７の図に示したような処理をコンピュータに実行させるための命令を含んだプログラムとして本発明を実施することも可能である。この場合、このプログラムをＤＶＤレコーダのメモリに読み込んでマイコンに実行させれば、本発明の目的を達成することができる。なお、上記の実施形態では、映像音声出力装置としてＤＶＤレコーダを例示したが、本発明はこれらの具体例にのみ限定されず、任意のＡＶ機器に適用可能である。なお、上記の実施形態では映像出力フォーマットの切り替えを例示したが、本発明は、映像出力フォーマットまたは、音声出力フォーマットの少なくとも一方をフォーマット変換する場合に適用可能である。なお、上記の実施形態では、ＨＤＭＩ端子とＤ端子の出力インタフェースを備えた映像音声出力装置を例示したが、本発明はこれらの具体例にのみ限定されず、複数の出力インタフェースを備えたＡＶ機器に適用可能である。なお、上記の実施形態では、ダビングを例示したが、本発明はこれらの具体例にのみ限定されず、再生、視聴、ＧＵＩ画面表示中など、ＡＶ機器の任意の状態に適用可能である。
【００５０】
さらに、上記の実施形態では、単一の映像音声出力装置（例えばＤＶＤレコーダ）でダビングを行う構成を例示したが、例えばＩＥＥＥ１３９４ケーブルやＨＤＭＩケーブルを用いた場合、映像音声出力装置の再生状態と映像音声記録装置の記録状態を制御することが可能であるため、複数のＡＶ機器間のダビングであっても構わない。複数のＡＶ機器間の任意の状態であっても構わない。
【産業上の利用可能性】
【００５１】
本発明は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等の規格に基づいて高品位映像と音声を送信し、ダビング機能を有する映像音声出力装置に適用できる。
【図面の簡単な説明】
【００５２】
【図１】映像音声出力装置構成図
【図２】ダビング開始処理フローチャート
【図３】ダビング開始処理（最も高品位なフォーマット判定）フローチャート
【図４】ダビング開始処理（フォーマットユーザー選択）フローチャート
【図５】ダビング終了処理フローチャート
【図６】機器認証処理フローチャート
【図７】出力フォーマット情報記憶部を表した図
【符号の説明】
【００５３】
２ａ    ＩＥＥＥ１３９４端子
２ｂ    Ｄ端子
２ｃ    アナログ端子
２ｄ    ＨＤＭＩ端子
２０    再生メディア
２１    フォーマット変換器
２２    トランスミッタ
２３    接続機器認証部
２３ａ    認証部
２３ａ    認証部
２４    メディア再生部
２５    接続機器判定部
２６    映像フォーマット判定部
２７    音声フォーマット判定部
２８    接続設定選択部
２８ａ    出力フォーマット情報記憶部
２９    ＧＵＩ画面表示部
３０    メディア記録部
３１    記録メディア
３２    ダビング状態管理部
【図１】
0004702242.tif 000002
【図２】
0004702242.tif 000003
【図３】
0004702242.tif 000004
【図４】
0004702242.tif 000005
【図５】
0004702242.tif 000006
【図６】
0004702242.tif 000007
【図７】
0004702242.tif 000008